(57)【要約】【課題】高倍率のズーム機能を有するビデオカメラで遠距離の被写体を撮影する際は、被写体側でタリーランプの視認が困難となるので、ビデオカメラが撮影中であるのか撮影停止中であるのかの確認が困難になる課題を解決するビデオカメラを提供する。【解決手段】ビデオカメラに搭載されているストロボを用いる。撮影開始時点には１回、撮影終了点には２回連続的にストロボを発光させることにより、遠距離の被写体からでもビデオカメラが撮影を開始したか停止したかが確認可能となる。【選択図】図１
2007165974.tif 000002
【特許請求の範囲】
【請求項１】
ストロボを有するビデオカメラにおいて、
撮影開始操作と撮影停止操作とを検知して、前記撮影開始操作と前記撮影停止操作とに対応した撮影開始信号と撮影停止信号とを生成する制御信号生成手段と、
前記制御信号生成手段によって生成された前記撮影開始信号が入力されたならば撮影を開始し、前記撮影停止信号が入力されたならば撮影を停止する撮影手段と、
前記制御信号生成手段によって生成された前記撮影開始信号が入力されたならば、その入力された時点において、予め設定されている第１の所定回数分だけ前記ストロボを瞬間連続発光させ、
前記撮影停止信号が入力されたならば、その入力された時点において、予め設定されている前記第１の所定回数とは異なる第２の所定回数分だけ前記ストロボを瞬間連続発光させるストロボ発光制御手段と、
を有することを特徴とするビデオカメラ。
【発明の詳細な説明】
【技術分野】
【０００１】
本発明は、高倍率のズーム機能を有するビデオカメラに関する。
【背景技術】
【０００２】
近年、高倍率のズーム機能を有するビデオカメラが出現してきている。この高倍率のズーム機能を有するビデカメラを用いると、より遠方の被写体の撮影が可能となる。しかしながら、被写体とビデオカメラの距離が遠くなると、ビデオカメラの状態が撮影中なのか撮影停止中なのかを示すタリーランプの視認が被写体側で困難になるという課題が発生する。
【０００３】
この課題を解決するために、例えば特許文献１では、ズーム倍率が大きくなるに従ってタリーランプの光量を大きくさせるといった技術が提案されている。
【特許文献１】特開平８−１８８３２号公報
【発明の開示】
【発明が解決しようとする課題】
【０００４】
しかしながら上記従来例では、ズーム倍率が上がるほどランプの光量を大きくするので、高倍率を維持しながらの連続撮影の場合、大光量でタリーランプを発光させ続けなければならず、消費電力が増大し、バッテリーの電力供給持続時間が短くなってしまうという課題が残る。
【０００５】
また、基本的にタリーランプは大光量で発光させる素子ではないので、光量を大きくするのには限界があり、視認可能な距離（ズーム倍率）は大幅には拡大できないという課題もある。
【課題を解決するための手段】
【０００６】
そこで上記課題を解決するために本発明は、下記の装置を提供するものである。
（１）ストロボを有するビデオカメラにおいて、
撮影開始操作と撮影停止操作とを検知して、前記撮影開始操作と前記撮影停止操作とに対応した撮影開始信号と撮影停止信号とを生成する制御信号生成手段と（101,102)、
前記制御信号生成手段によって生成された前記撮影開始信号が入力されたならば撮影を開始し、前記撮影停止信号が入力されたならば撮影を停止する撮影手段と(103)、
前記制御信号生成手段によって生成された前記撮影開始信号が入力されたならば、その入力された時点において、予め設定されている第１の所定回数分だけ前記ストロボを瞬間連続発光させ、
前記撮影停止信号が入力されたならば、その入力された時点において、予め設定されている前記第１の所定回数とは異なる第２の所定回数分だけ前記ストロボを瞬間連続発光させるストロボ発光制御手段と（102、104)、
を有することを特徴とするビデオカメラ。
【発明の効果】
【０００７】
本発明によれば、撮影開始時点と撮影停止時点とのみにタリーランプに相当するストロボを瞬間発光させるので、高倍率を維持しながらの連続撮影の場合でも消費電力の増大を抑制することが可能となる。
【０００８】
また、ストロボは極めて大光量で発光が可能であるので、ビデオカメラと被写体とが極めて離れていても被写体側からストロボの発光を視認でき、撮影開始時点と撮影終了時点とを確認することが可能となる。
【０００９】
更に、ストロボは近年多くのビデオカメラに付加機能で搭載されている静止画撮影機能時に用いるストロボと共用が可能であるので、動画撮影専用のストロボを搭載する必要がなく、コストアップの抑制が可能となる。
【発明を実施するための最良の形態】
【００１０】
以下に図面を用いて本発明の実施例を説明する。
図１は、本発明の一実施例の構成図を示したものである。
撮影開始時と撮影停止時に撮影ボタン１０１が押下されると、撮影ボタン１０１は撮影トリガ信号をマイコン１０２に供給する。
【００１１】
マイコン１０２は、撮影ボタン１０１からの撮影トリガ信号を受信したならば、撮影開始指示信号と撮影停止指示信号とを上記撮影トリガ信号を受信する毎に交互に生成し、撮影部１０３に供給する。また同時に、上記撮影開始指示信号と撮影停止指示信号とに連動して、撮影開始時ストロボ発光指示信号と撮影停止時ストロボ発光指示信号とを生成し、ストロボ駆動部１０４に供給する。
【００１２】
撮影部１０３は、マイコン１０２からの撮影開始指示信号を受信したならば被写体の撮影を開始する。また撮影停止指示信号を受信したならば被写体の撮影を停止する。
ストロボ駆動部１０４は、マイコン１０２からの撮影開始時ストロボ発光指示信号を受信したならばストロボ１０５を１回発光させる。また撮影停止時ストロボ発光指示信号を受信したならばストロボ１０５を２回発光させる。
【００１３】
上記のように、撮影開始時と撮影停止時とでストロボの発光回数を異ならせることで、被写体側にそのストロボ発光が撮影開始時点を示しているのか撮影停止時点を示しているのかを区別させることが可能となる。図２は撮影開始時／停止時とストロボ発光回数との関係の例を示した図である。
【００１４】
なお、上記実施例は、撮影開始時点で1回、撮影停止時点で２回、ストロボを発光させる例を示したものであるが、ストロボの発光回数はこれに限らず、撮影開始時点と撮影終了時点とで発光回数が異なるような回数であればどのような回数でも良い。
【００１５】
また、上記実施例は、ストロボ駆動部１０４が撮影開始時ストロボ発光指示信号と撮影停止時ストロボ発光指示信号という２種類の信号を受信して、この信号の違いによりストロボの発光回数を制御する例である。しかしこれに限らず、ストロボ駆動部１０４は１種類のストロボの発光指示信号のみを受信するような構成も考えられる。この構成の場合は、マイコン１０２がストロボ駆動部１０４に、撮影開始時には発光指示信号を１回、撮影停止字には発光指示信号を２回供給すれば良い。
【００１６】
また、上記実施例は、常時ストロボを用いて撮影開始時点と撮影終了時点とを区別する例であるが、通常のタリーランプが視認できるズーム倍率（距離）では通常のタリーランプを使用し、通常のタリーランプが視認できなくなるようなズーム倍率（距離）になった時点で、上記したストロボを用いるような構成でも良い。この場合は、タリーランプによる処理とストロボによる処理とを切り替える閾値となるズーム倍率を予めマイコン１０２に設定しておけば良い。
【００１７】
また、ストロボは、ビデオ撮影専用のものを搭載する必要はなく、近年の多くのビデオカメラに搭載されている静止画撮影機能に用いるためのストロボを共用しても良い。
【図面の簡単な説明】
【００１８】
【図１】本発明の一実施例を示す構成図である。
【図２】撮影開始時／停止時とストロボ発光回数との関係の例を示した図である。
【符号の説明】
【００１９】
１０１  撮影ボタン
１０２  マイコン
１０３  撮影部
１０４  ストロボ駆動部
１０５  ストロボ
【図１】
2007165974.tif 000003
【図２】
2007165974.tif 000004